(57)【要約】【課題】直立器体を例えば建物の外廻りに設置し、導水管に雨水を導入するように施工することによりそれぞれの上下多段状に配置した貯水タンク内に複数個の取水管を介して順次雨水を貯水することができ、各取水管の途中に貯水タンクの取水口部に接続可能な接続口部を設けると共に接続口部を開閉可能な切換弁を設けているから、植栽物の灌水、消防用水、震災等の災害時の非常用水等々として利用することができる。【解決手段】直立器体１に雨水Ｆを導入する導水管３及び導水管に連通する貯水管４を並列状に縦設し、導水管と貯水管との間に導水管と貯水管とを連通する複数個の取水管６を上下多段状に配設すると共に各取水管の近傍位置にそれぞれ貯水タンク７を載置可能な載置部８を上下多段状に配設し、各取水管の途中に貯水タンクの取水口部１１に接続可能な接続口部９を設けてなる。【選択図】図１
2006207227.tif 000002
【特許請求の範囲】
【請求項１】
直立器体に雨水を導入する導水管及び該導水管に連通する貯水管を並列状に縦設し、該導水管と該貯水管との間に該導水管と該貯水管とを連通する複数個の取水管を上下多段状に配設すると共に該各取水管の近傍位置にそれぞれ貯水タンクを載置可能な載置部を上下多段状に配設し、該各取水管の途中に該貯水タンクの取水口部に接続可能な接続口部を設けると共に該接続口部を開閉可能な切換弁を設け、該貯水タンクの取水口部に該貯水タンク内への水の流入を許容すると共に該貯水タンク内の貯水の流出を防ぐ逆止弁機構を設け、該貯水タンクの排気口部に該貯水タンク内への貯水に伴う内部空気の流出を可能とすると共に該貯水タンク内の満貯水により貯水の流出を阻止可能な弁機構を設けてなることを特徴とする雨水利用装置。
【請求項２】
上記直立器体の中央部の前後位置に導水管及び貯水管を並列対向状に縦設し、該直立器体の左右両側位置に該導水管と該貯水管とを連通する複数個の取水管を上下多段状に配設すると共に該各取水管の近傍位置にそれぞれ貯水タンクを左右並列状に載置可能な載置部を上下多段状に配設してなることを特徴とする請求項１記載の雨水利用装置。
【請求項３】
上記導水管と上記貯水管との間に該導水管と上記貯水管とを連通する連通管を配設してなることを特徴とする請求項１又は２記載の雨水利用装置。
【請求項４】
上記貯水管の液面を視認可能な液面計を設けてなることを特徴とする請求項１〜３のいずれか１項に記載の雨水利用装置。
【請求項５】
上記取水管の接続口部と上記貯水タンクの取水口部との間に挿入接続時に開口すると共に抜脱非接続時に閉口可能なワンタッチ継手を設けてなることを特徴とする請求項１〜４のいずれか１項に記載の雨水利用装置。
【発明の詳細な説明】
【技術分野】
【０００１】
本発明は例えば建物の軒下やカーポートの近傍位置等に設置して用いられる雨水利用装置に関するものである。
【背景技術】
【０００２】
従来から軒樋で集水された雨水を立樋を介して貯水槽に貯水し、植栽物の灌水、消防用水、震災等の災害時の非常用水等々に利用しようとする試みがなされている。
【特許文献１】特開平９−２１１６５号
【発明の開示】
【発明が解決しようとする課題】
【０００３】
しかしながらこれらの従来構造の場合、貯水槽の水を利用する際、当該水を貯水タンク等の可搬容器に移したのち、貯水タンクを当該利用場所まで運搬し、貯水タンク内の水を利用することになるため、即座に水を利用することができず、例えば、災害時等の緊急時には対応できないことがあるという不都合を有している。
【課題を解決するための手段】
【０００４】
本発明はこれらの不都合を解決することを目的とするもので、本発明のうちで、請求項１記載の発明は、直立器体に雨水を導入する導水管及び該導水管に連通する貯水管を並列状に縦設し、該導水管と該貯水管との間に該導水管と該貯水管とを連通する複数個の取水管を上下多段状に配設すると共に該各取水管の近傍位置にそれぞれ貯水タンクを載置可能な載置部を上下多段状に配設し、該各取水管の途中に該貯水タンクの取水口部に接続可能な接続口部を設けると共に該接続口部を開閉可能な切換弁を設け、該貯水タンクの取水口部に該貯水タンク内への水の流入を許容すると共に該貯水タンク内の貯水の流出を防ぐ逆止弁機構を設け、該貯水タンクの排気口部に該貯水タンク内への貯水に伴う内部空気の流出を可能とすると共に該貯水タンク内の満貯水により貯水の流出を阻止可能な弁機構を設けてなることを特徴とする雨水利用装置にある。
【０００５】
又、請求項２記載の発明は、上記直立器体の中央部の前後位置に導水管及び貯水管を並列対向状に縦設し、該直立器体の左右両側位置に該導水管と該貯水管とを連通する複数個の取水管を上下多段状に配設すると共に該各取水管の近傍位置にそれぞれ貯水タンクを左右並列状に載置可能な載置部を上下多段状に配設してなることを特徴とするものであり、又、請求項３記載の発明は、上記導水管と上記貯水管との間に該導水管と上記貯水管とを連通する連通管を配設してなることを特徴とするものである。
【０００６】
又、請求項４記載の発明は、上記貯水管の液面を視認可能な液面計を設けてなることを特徴とするものであり、又、請求項５記載の発明は、上記取水管の接続口部と上記貯水タンクの取水口部との間に挿入接続時に開口すると共に抜脱非接続時に閉口可能なワンタッチ継手を設けてなることを特徴とするものである。
【発明の効果】
【０００７】
本発明は上述の如く、請求項１記載の発明にあっては、直立器体を例えば建物の外廻りに設置し、導水管に雨水を導入するように施工することによりそれぞれの上下多段状に配置した貯水タンク内に複数個の取水管を介して順次雨水を貯水することができ、各取水管の途中に貯水タンクの取水口部に接続可能な接続口部を設けると共に接続口部を開閉可能な切換弁を設け、貯水タンクの取水口部に貯水タンク内への水の流入を許容すると共に貯水タンク内の貯水の流出を防ぐ逆止弁機構を設け、貯水タンクの排気口部に貯水タンク内への貯水に伴う内部空気の流出を可能とすると共に貯水タンク内の満貯水により貯水の流出を阻止可能な弁機構を設けているから、貯水タンク内への貯水及び貯水タンクの設置、取出を容易に行うことができ、植栽物の灌水、消防用水、震災等の災害時の非常用水等々として利用することができる。
【０００８】
又、請求項２記載の発明にあっては、上記直立器体の中央部の前後位置に導水管及び貯水管を並列対向状に縦設し、直立器体の左右両側位置に導水管と貯水管とを連通する複数個の取水管を上下多段状に配設すると共に各取水管の近傍位置にそれぞれ貯水タンクを左右並列状に載置可能な載置部を上下多段状に配設してなるから、設置スペースに対する貯水効率を高めることができ、又、請求項３記載の発明にあっては、上記導水管と上記貯水管との間に導水管と上記貯水管とを連通する連通管を配設してなるから、上記導水管内の雨水を円滑に貯水管内に貯水導入することができる。
【０００９】
又、請求項４記載の発明にあっては、上記貯水管の液面を視認可能な液面計を設けてなるから、それぞれの貯水タンク内の貯水状況を容易に把握することができ、又、請求項５記載の発明にあっては、上記取水管の接続口部と上記貯水タンクの取水口部との間に挿入接続時に開口すると共に抜脱非接続時に閉口可能なワンタッチ継手を設けてなるから、貯水タンクの脱着を容易に行うことができる。
【発明を実施するための最良の形態】
【００１０】
図１乃至図１１は本発明の実施の形態例を示し、１は直立器体であって、この場合、ステンレス製にして、ケース体１ａ及び前面扉ケース１ｂからなり、コンクリート製の台座２上に立設され、この直立器体１の中央部の前後位置に導水管３及び貯水管４を並列対向状に縦設し、この導水管３及び貯水管４を上下二段の連通管５・５により連通し、直立器体１の左右両側位置に導水管３と貯水管４とを連通する左右５個ずつ計１０個の取水管６・・・を上下５段状に配設すると共に各取水管６・・・の近傍位置にそれぞれ左右５個ずつ計１０個の１０リットル入り貯水タンク７を左右並列状に載置可能な１０個の載置部８を上下多段状に配設し、この場合、図９の如く、取水管６・・・の貯水管４側下部に吊下杆４ａを取り付け、この吊下杆４ａと取水管６・・・の導水管３側上部との間に載置板８ａを架設して載置部８を形成し、最下部にあっては、直立器体１の底面を載置部８に形成して構成している。
【００１１】
９は接続口部、１０は切換弁であって、上記各取水管６・・・の途中に合成樹脂製の貯水タンク７の取水口部１１に接続可能な接続口部９を設け、この接続口部９を回動ハンドル１０ａの正逆回動により開閉可能な手動式の切換弁１０を設けて構成している。
【００１２】
１８は逆止弁機構であって、この場合、上記貯水タンク７の取水口部１１に設けられ、タンク内部方向への押圧操作により解除可能なフロート弁を内蔵し、貯水タンク７内への水の流入を許容すると共に貯水タンク７内の貯水の流出を防ぐ構造となっている。
【００１３】
又、この場合、上記取水管６の接続口部９と上記貯水タンク７の取水口部１１との間に挿入接続時に開口すると共に抜脱非接続時に閉口可能なワンタッチ継手１２を設けてなり、即ち、接続口部９にワンタッチ継手１２の雄継手１２ａを取り付けると共に取水口部１１にワンタッチ継手１２の雌継手１２ｂを取り付けて構成している。
【００１４】
１３は弁機構であって、この場合、上記逆止弁機構１８と同様な内部方向への押圧操作により解除可能なフロート弁を内蔵し、上記各貯水タンク７の排気口部１４に貯水タンク７内への貯水に伴う内部空気の流出を可能とすると共に貯水タンク７内の満貯水により貯水の流出を阻止可能な弁機構１３を設けている。
【００１５】
１５は液面計であって、上記貯水管４の液面を色彩表示により視認可能な液面計１５を直立器体１内に上下方向に配設し、前面扉ケース１ｂに複数個の覗窓１ｃを複数個形成して構成している。
【００１６】
１６は取出コックであって、ハンドル１６ａの正逆回動により開閉し、上記貯水管４内の水を取り出すように構成している。
【００１７】
１７は分流器であって、例えば、軒樋Ｗに鉛直方向に接続された立樋Ｍの途中に連結され、軒樋Ｗからの雨水Ｆを導水管３に流下案内し、導水管３内の雨水満水時に立樋Ｍに雨水Ｆを流下案内する二股状構造となっている。
【００１８】
この場合、上記貯水管４の上端部は開口状態となっており、上記導水管３内のの満水時の液面レベルより高く設定され、又、図示省略しているが、貯水管２に他の取水手段を接続することもある。
【００１９】
この実施の形態例は上記構成であるから、例えば、図２の如く、直立器体１を建物Ｋの外壁に沿って設置し、分流器１７の上端部に立樋Ｍの途中を接続し、分流器１７の一方出口を導水管３の上端部に接続すると共に他方口部を立樋Ｍの下部管に接続し、降水があると、軒樋Ｗにより集水された雨水Ｆは立樋Ｍの上部管から分流器１７に導入され、分流器１７に導入された雨水Ｆは流勢により導水管３内に導入され、雨水Ｆは導水管３内に貯溜され、貯水途中から連通管５及び取水管６・・・を介して貯水管４内に流水し、取水管６・・の接続口部９と貯溜タンク７の取水口部１１との間の切換弁１０を開状態にしておくことにより取水管３内の雨水Ｆは逆止弁機構１８を介して貯水タンク７内に流入し、貯水タンク７内への貯水に伴う内部空気は弁機構１３により外部に流出し、それぞれ、貯水タンク７内が満貯水になると弁機構１３により貯水タンク７の排気口部１４からの貯水の流出が阻止され、導水管３及び貯水管４内の雨水の液面上昇にしたがって徐々にそれぞれの貯水タンク７内に流入し、導水管３、貯水管４及び各貯水タンク７内に水が満たされると雨水は分流器１７から立樋Ｍの下部管に流下すると共に貯水管４の開口上端から溢流することになる。
【００２０】
そして、雨水利用時おいて、取り出すべき貯水タンク７に接続された接続口部９を切換弁１０により閉口し、図１０の如く、貯水タンク７の取水口部１１を接続口部９から抜き取りつつ載置部８上の貯水タンク７を取り去ることになり、逆止弁機構１８は貯水タンク７内の雨水が取水口部１１から流出することを阻止し、弁機構１３及び逆止弁機構１８により貯水タンク７内の雨水の流出が阻止され、逆止弁機構１８を解除操作することにより、この場合、内部のフロートを押下することにより取水口部１１から雨水を排出し、多目的に雨水を利用することになる。
【００２１】
そして、この貯水タンク７内の雨水を排出したら、貯水タンク７を載置部８上に載置すると共に取水口部１１を接続口部９に接続し、切換弁１０により接続口部１１を開口することにより再び貯水することになる。
【００２２】
したがって、直立器体１を例えば建物の外廻りに設置し、導水管３に雨水を導入するように施工することによりそれぞれの上下多段状に配置した貯水タンク７内に複数個の取水管６・・・を介して順次雨水Ｆを貯水することができ、各取水管６・・の途中に貯水タンク７の取水口部１１に接続可能な接続口部９を設けると共に接続口部９を開閉可能な切換弁１０を設け、貯水タンク７の取水口部１１に貯水タンク７内への水の流入を許容すると共に貯水タンク７内の貯水の流出を防ぐ逆止弁機構１８を設け、貯水タンク７の排気口部１４に貯水タンク７内への貯水に伴う内部空気の流出を可能とすると共に貯水タンク７内の満貯水により貯水の流出を阻止可能な弁機構１３を設けているから、貯水タンク７内への貯水及び貯水タンク７の設置、取出を容易に行うことができ、植栽物の灌水、消防用水、震災等の災害時の非常用水等々として利用することができる。
【００２３】
この場合、上記直立器体１の中央部の前後位置に導水管３及び貯水管４を並列対向状に縦設し、直立器体１の左右両側位置に導水管３と貯水管４とを連通する複数個の取水管６・・・を上下多段状に配設すると共に各取水管６・・・の近傍位置にそれぞれ貯水タンク７を左右並列状に載置可能な載置部８を上下多段状に配設してなるから、設置スペースに対する貯水効率を高めることができ、又、この場合、上記導水管３と上記貯水管４との間に導水管３と上記貯水管４とを連通する連通管５を配設してなるから、上記導水管３内の雨水Ｆを円滑に貯水管４内に貯水導入することができる。
【００２４】
又、この場合、上記貯水管４の液面を視認可能な液面計１５を設けてなるから、それぞれの貯水タンク７内の貯水状況を容易に把握することができ、又、この場合、上記取水管６・・・の接続口部９と上記貯水タンク７の取水口部１１との間に挿入接続時に開口すると共に抜脱非接続時に閉口可能なワンタッチ継手１２を設けてなるから、貯水タンク７の脱着を容易に行うことができる。
【００２５】
尚、本発明は上記実施の形態例に限られるものではなく、直立器体１、導水管３、貯水管４、貯水タンク７、弁機構１３、逆止弁機構１８の構造や形態、数量等は適宜変更して設計される。
【００２６】
以上、所期の目的を充分達成することができる。
【図面の簡単な説明】
【００２７】
【図１】本発明の実施の形態例の全体斜視図である。
【図２】本発明の実施の形態例の全体側断面図である。
【図３】本発明の実施の形態例の全体正断面図である。
【図４】本発明の実施の形態例の部分拡大正断面図である。
【図５】本発明の実施の形態例の部分拡大側断面図である。
【図６】本発明の実施の形態例の部分拡大平断面図である。
【図７】本発明の実施の形態例の部分拡大平断面図である。
【図８】本発明の実施の形態例の部分拡大側断面図である。
【図９】本発明の実施の形態例の部分拡大斜視図である。
【図１０】本発明の実施の形態例の部分拡大側断面図である。
【図１１】本発明の実施の形態例の部分拡大側断面図である。
【符号の説明】
【００２８】
Ｆ    雨水
１    直立器体
３    導水管
４    貯水管
５    連通管
６    取水管
７    貯水タンク
８    載置部
９    接続口部
１０    切換弁
１１    取水口部
１２    ワンタッチ継手
１３    弁機構
１４    排気口部
１５    液面計
１８    逆止弁機構
【図１】
2006207227.tif 000003
【図２】
2006207227.tif 000004
【図３】
2006207227.tif 000005
【図４】
2006207227.tif 000006
【図５】
2006207227.tif 000007
【図６】
2006207227.tif 000008
【図７】
2006207227.tif 000009
【図８】
2006207227.tif 000010
【図９】
2006207227.tif 000011
【図１０】
2006207227.tif 000012
【図１１】
2006207227.tif 000013